(57)【要約】【課題】ランプ電流が入力電圧に左右されない回路を構成し、人力電圧変動によるランプの明るさの低下を解くことが無く、また、より安価で小形な部品を使用する事が出来る装置を提供する。【解決手段】周波数設定用抵抗器と並列に入力電圧により抵抗値が可変する調整回路を設け、低人力電圧時には周波数設定用抵抗と調整回路との合成抵抗値を上げ周波数を低ドさせることによりランプ電流を増加させ、高人力電圧特には低入力電圧時と逆に合成抵抗値を下げて周波数を上昇させることによりランプ雷流を低下させる。これらにより、入力電圧に関わらずランプ電流を一定とする。【選択図】　　図１
2004146326.tif 000002
【特許請求の範囲】
【請求項１】
交流電源１１電圧を整流する整流電源１０を備え、平滑用コンデンサ２０を備え、前記平滑用コンデンサ２０の両端に接続する順直列一対のスイッチング素子３１・３２を備え、前記各スイッチング素子３１・３２と逆並列に接続するフライダイオード４１・４２を備え、前記スイッチング素子３１・３２の発振を制御する制御回路８０を備え、前記制御回路８０の発振周波数を設定する発振周波数設定用抵抗８１を備え、誘導性負荷５０を備え、前記誘導性負荷５０を一方の前記スイッチング素子３２と並列に接続する電源用コンデンサ６２を備え、前記電源用コンデンサ６２を介して前記整流電源１０へ並列に接続する補助コンデンサ６１を備え、前記電源用コンデンサ６２と補助コンデンサ６１の両端を前記平滑用コンデンサ２０に並列に接続するダイオード７１を備える複合型インバータ回路において、
交流電源１１電圧を検出する検出回路９０を備え、前記周波数設定用抵抗８１に並列に接続し、前記検出回路９０によって検出された電圧によって抵抗値が可変する調整回路９０を備えることを特徴とする複合型のインバータ回路装置。
【発明の詳細な説明】
【０００１】
【発明の属する技術分野】
本発明は、安価で小型な放電灯点灯装置に関する。
【０００２】
【従来の技術】
従来の複合型インバータでは　ランプ電流が入力電圧により変動するため、定格の入力電　屋に対して低い場合にはランプ電流が低下するので、ランプの明るさが低下してしまった。また、高い場合にはランプ電流が増加し使用部品の負荷率が上がるため、入力電圧が週篭圧時の特性を考慮する必繋があり、部品の信頼性を確保するためには、定格の入力電圧で動作させる時に対しで事分余裕のある部品選定をせざるを得ず、価格、形状などの面から不利であった。
【０００３】
【発明が解決しようとする課題】
従来技術は、入力電圧が低電圧時のランプの明るさの低下を招き、また、高電圧時にはランプ電流が増加するので部品の信頼性を確保するために、定格の入力電圧で動作させる時に対して十分余裕のある部品選定をせざるを得ず部品の価格、形状などの面から不利であった。
本発明は、ランプ電流が入力電圧に左右されない回路を構成し、人力電圧変動によるランプの明るさの低下を解くことが無く、また、より安価で小形な部品を使用する事が出来るために考案したものである。
【０００４】
【課題を解決するための手段】
上記日的を達成するため、周波数設定用抵抗器と並列に入力電圧により抵抗値が可変する調整回路を設け、低人力電圧時には周波数設定用抵抗と調整回路との合成抵抗値を上げ周波数を低ドさせることによりランプ電流を増加させ、高人力電圧特には低入力電圧時と逆に合成抵抗値を下げて周波数を上昇させることによりランプ雷流を低下させる。これらにより、入力電圧に関わらずランプ電流を一定とするものである。
【０００５】
【発明の実施の形態】
本発明の実施形態を図１により説明する。これは複合型インバータ回路による放電灯点灯装置である。図中の１０は交流電源１１電圧を整流する整流回路であり、２０は平滑用コンデンサであり、３０はハーフブリッジ形インバータ回路部で３１、３２はスイッチングトランジスタであり、４１、４２はそれぞれスイッチングトランジスタ３１、３２と並列に接続するフライホイールダイオードであり、８０はスイッチングトランジスタ３１、３２をスイッチング制御する制御回路であり、８１は制御回路によって制御する発振周波数設定用抵抗器であり、スイッチングトランジスタ３２と並列にそれぞれ直列に接続されたバラストチョーク５１、蛍光ランプ５２、電源用コンデンサ６２を備え、５３は蛍光ランプ５２と並列に接続される予熱用コンデンサであり、６１は整流回路１０と電源用コンデンサ６２とを並列に接続する補助コンデンサであり、７１は電源用コンデンサ６２と補助コンデンサ６１の両端を平滑用コンデンサ２０に並列に接続するダイオードである。９０は入力電圧を検出する検出回路であり、９１は整流用ダイオード、９２、９３は分圧用抵抗器、９４は平滑用コンデンサ、１００は周波数設定用抵抗器８１と並列に接続し検出回路９０による検出電圧により抵抗値がが可変する調整回路であり、１０１は検出電圧により動作するトランジスタであり、１０２はトランジスタ１０１のペース電流を制限するベース抵抗であり、１０３はトランジスタ１０１と直列に接続し、周波数設定用抵抗器と並列に接続する調整用抵抗器である。
この回路において，ランプ電流は主として鴎流電圧ＶＣとバラストチョーク５１のインダクタンスと発振周波数とにより決定されが、インダクタンスは一定であるので直流電圧ＶＣと発振周波数Ｆに決定される。この直流電圧ＶＣは入力電圧に比例して変化するため、発振周波数が一定と仮定するとランプ電流は人力電圧が高いときには多く流れ低いときには少ない。よって、この変化分を発振周波数こより補正する。
ここで、その発掘剤波数を補正する検出回路９０と調整同路１００の動作を説明する。交流電源１１を整流用ダイオード９１により整流し分圧用抵抗器９２、９３により分圧し平滑用コンデンサ９４により平滑した電圧がベース抵抗１０２とトランジスタ１０１のベースーエミッタ間に印可され、ベース抵抗器１０２により制限されたベース電流がトランジスタ１０１に流れる。ただし、このときのベース電流はベース抵抗器１０２により制限されておりトランジスタは不飽和領域でオンしている。よって、周波数設定用抵抗器８１と並列に直列接続されるトランジスタ１０１と調整用抵抗器１０３はベース電流の大きさとトランジスタ１０１のｈＦＥにより設定される可変抵抗器として機能するため制御回路８０に接続された発掘周波数を設定する抵抗器の合成抵抗値は入力電圧が高いときには抵抗値が大きくなるため発振周波数は低下し、入力電圧が低いときには抵抗値が小さくなるため発振周波数は上昇する。
上記の通り、入力電圧によって直流電圧ＶＣの変化と発振周波数の変化は、ランプ電流の大きさ対して反比例する方向に働く。よって、入力電圧が変化した場合においてもランプ電流がほぼ一定となるように調整回路１００のベース抵抗器１０２とトランジスタ１０１のｈＦＥを選定することにより、ランプ電流が入力電圧に左右されない回路を構成し、人力亀王変動によるランプの明るさの低下を招くことが無く、また、より安価で小形な部品を使用することができる。
【０００８】
【発明の効果】
本発明によれば、人力電圧の変動によるランプ電流の変化を無くすことが出来るため、低入力電圧時の明るさ低下を気にする必要が無く、また、高入力電圧時にランプ電流が増加することがないため、使用部品は定格電圧時と同様の負荷率となり、人力電圧によりランプ電流が変化するときに比べて小形で安価な部品を選定することが出来る。
【図面の簡単な説明】
【図１】本発明装置の回路である。
【符号の説明】
８０：制御回路、９０：入力電圧検出回路、１００：発振周波数調整回路、ＶＣ；直流電圧
【図１】
2004146326.tif 000003